(57)【要約】【課題】作業者が少なくとも被梱包物の底面部に配置される緩衝材に梱包覆いを載せる際に、梱包覆いに緩衝材に対して梱包覆いを位置決めするための切り口を設けた場合であっても、被梱包物の梱包における防塵の品質を安定させる。【解決手段】少なくとも被梱包物１の底面部に配置される緩衝材３と、前記緩衝材と前記被梱包物との間に介在される梱包覆い４と、前記緩衝材に設けられ、前記緩衝材に前記梱包覆いを位置決めするために前記緩衝材の被梱包物と接触する面に突出され、前記緩衝材と被梱包物との間にかかる圧力で変形可能に形成された突起部５と、前記梱包覆いに設けられ、前記緩衝材の突起部と係わり合って緩衝材と梱包覆いとを位置決め可能な切り口７を有し、前記緩衝材と被梱包物との間にかかる圧力で前記突起部がつぶれて変形したときに、前記切り口が塞がれるように形成され、前記突起部に位置合わせする位置合わせ部６とを備えたものである。【選択図】図１
2011063270.tif 000002
【特許請求の範囲】
【請求項１】
少なくとも被梱包物の底面部に配置される緩衝材と、
前記緩衝材と前記被梱包物との間に介在される梱包覆いと、
前記緩衝材に設けられ、前記緩衝材に前記梱包覆いを位置決めするために前記緩衝材の被梱包物と接触する面に突出され、前記緩衝材と被梱包物との間にかかる圧力で変形可能に形成された突起部と、
前記梱包覆いに設けられ、前記緩衝材の突起部と係わり合って緩衝材と梱包覆いとを位置決め可能な切り口を有し、前記緩衝材と被梱包物との間にかかる圧力で前記突起部がつぶれて変形したときに、前記切り口が塞がれるように形成され、前記突起部に位置合わせする位置合わせ部とを備えたことを特徴とする緩衝梱包材。
【請求項２】
前記突起部は、複数個設けられることを特徴とする請求項１記載の緩衝梱包材。
【請求項３】
前記位置合わせ部は、前記突起部に対応する位置に設けられることを特徴とする請求項２記載の緩衝梱包材。
【請求項４】
被梱包物と、
少なくとも前記被梱包物の底面部に配置される緩衝材と、
前記緩衝材と前記被梱包物との間に介在される梱包覆いと、
前記緩衝材に設けられ、前記緩衝材の被梱包物と接触する面に突出され、前記緩衝材と被梱包物との間にかかる圧力でつぶれて変形した突起部と、
前記梱包覆いに設けられ、前記緩衝材の突起部と係わり合って緩衝材と梱包覆いとを位置決め可能な切り口を有し、前記緩衝材と被梱包物との間にかかる圧力でつぶれて変形した前記突起部によって前記切り口が塞がれ、前記突起部に位置合わせされた位置合わせ部と、
前記被梱包物、緩衝材及び梱包覆いを梱包する容器とを備えたことを特徴とする梱包体。
【発明の詳細な説明】
【技術分野】
【０００１】
本発明は、緩衝梱包材及び梱包体に関する。
【背景技術】
【０００２】
特許文献１記載の梱包構造は、パレット上に緩衝材を介して製品を載置し、外箱で被う製品の梱包構造において、製品載置面部と、その製品載置面部を挟んで設けた手掛け穴を有する一対の側面部とからなる製品保持シートを用い、前記製品載置面部を介して前記パレット上に製品を載置すると共に、その製品の側面を前記製品保持シートの側面部で被い、これを介して製品を前記外箱で覆うようになっている。
【０００３】
また、特許文献２記載の梱包緩衝材は、被梱包物を運搬する際の衝撃を緩和するために梱包容器の箱部底側に配置される梱包緩衝材であって、該梱包緩衝材は、被梱包物の底面の両端部を支持しており、被梱包物の側方を支持する部分と被梱包物の底面を支持する部分とを有している。
【０００４】
さらに、特許文献３記載の梱包材は、ダンボールパレットの上面の四隅には樹脂製の包装袋で全体を包装された被梱包物の角部を受ける角部緩衝材が配置され、上面中央には被梱包物の底面を受ける矩形状の緩衝材が配置され、前記ダンボールパレットの上面には前記包装袋の破れを防ぐための樹脂製シートが載置されるようになっている。
【先行技術文献】
【特許文献】
【０００５】
【特許文献１】特開２００３−１７５９７４号公報（発明の実施の形態、図１）
【特許文献２】特開２００７−２１０６３６号公報（背景技術、図１）
【特許文献３】特開２００８−１８９３７１号公報（発明を実施するための最良の形態、図１）
【発明の概要】
【発明が解決しようとする課題】
【０００６】
本発明が解決しようとする課題は、作業者が少なくとも被梱包物の底面部に配置される緩衝材に梱包覆いを載せる際に、梱包覆いに緩衝材に対して梱包覆いを位置決めするための切り口を設けた場合であっても、被梱包物の梱包における防塵の品質を安定させる緩衝梱包材及び梱包体を提供するものである。
【課題を解決するための手段】
【０００７】
請求項１に係る緩衝梱包材は、少なくとも被梱包物の底面部に配置される緩衝材と、前記緩衝材と前記被梱包物との間に介在される梱包覆いと、前記緩衝材に設けられ、前記緩衝材に前記梱包覆いを位置決めするために前記緩衝材の被梱包物と接触する面に突出され、前記緩衝材と被梱包物との間にかかる圧力で変形可能に形成された突起部と、前記梱包覆いに設けられ、前記緩衝材の突起部と係わり合って緩衝材と梱包覆いとを位置決め可能な切り口を有し、前記緩衝材と被梱包物との間にかかる圧力で前記突起部がつぶれて変形したときに、前記切り口が塞がれるように形成され、前記突起部に位置合わせする位置合わせ部とを備えたものである。
請求項２に係る発明は、前記突起部が複数個設けられることを特徴とする請求項１記載の緩衝梱包材である。
請求項３に係る発明は、前記位置合わせ部が前記突起部に対応する位置に設けられることを特徴とする請求項２記載の緩衝梱包材である。
請求項４に係る梱包体は、被梱包物と、少なくとも前記被梱包物の底面部に配置される緩衝材と、前記緩衝材と前記被梱包物との間に介在される梱包覆いと、前記緩衝材に設けられ、前記緩衝材の被梱包物と接触する面に突出され、前記緩衝材と被梱包物との間にかかる圧力でつぶれて変形した突起部と、前記梱包覆いに設けられ、前記緩衝材の突起部と係わり合って緩衝材と梱包覆いとを位置決め可能な切り口を有し、前記緩衝材と被梱包物との間にかかる圧力でつぶれて変形した前記突起部によって前記切り口が塞がれ、前記突起部に位置合わせされた位置合わせ部と、前記被梱包物、緩衝材及び梱包覆いを梱包する容器とを備えたものである。
【発明の効果】
【０００８】
請求項１に係る発明によれば、作業者が少なくとも被梱包物の底面部に配置される緩衝材に梱包覆いを載せる際に、梱包覆いに緩衝材に対して梱包覆いを位置決めするための切り口を設けた場合であっても、被梱包物の梱包における防塵の品質を安定させることができる。
請求項２に係る発明によれば、複数個の突起部を目印として位置合わせ部を位置合わせし、緩衝材に対して梱包覆いを位置決めして載せることができる。
請求項３に係る発明によれば、複数個の突起部に対応する位置の位置合わせ部をそれぞれの突起部に位置合わせし、緩衝材に対して梱包覆いを位置決めして載せることができる。
請求項４に係る発明によれば、作業者が緩衝材に梱包覆いを載せる際に、緩衝材に対して梱包覆いを位置決めするための切り口を梱包覆いに設けた場合であっても、被梱包物を梱包した状態では防塵の品質が安定した被梱包物の梱包状態を提供させることができる。
【図面の簡単な説明】
【０００９】
【図１】本発明による緩衝梱包材及び梱包体の実施の形態の概要を示す説明図であり、（ａ）は容器の内面と被梱包物との隙間に配置された緩衝材を示す側面図であり、（ｂ）及び（ｃ）は緩衝材に設けられた突起部と梱包覆いに設けられた位置合わせ部の切り口との関係を示す平面図であり、（ｄ）は容器内に被梱包物、緩衝材及び梱包覆いを梱包した状態を示す側面図である。
【図２】本実施形態による緩衝梱包材における緩衝材の実施形態を示す斜視図である。
【図３】本実施形態による緩衝梱包材における梱包覆いの実施形態を示す平面図である。
【図４】梱包覆いに設けられた位置合わせ部の切り口の形状を示す平面図である。
【図５】緩衝材に設けられた突起部に位置合わせ部を位置合わせし、緩衝材に対して梱包覆いを位置決めして載せる状態を示す斜視図である。
【図６】緩衝材の突起部と梱包覆いの位置合わせ部との関係を示す説明図であり、（ａ）は梱包覆いの位置合わせ部の切り口を緩衝材の突起部に位置合わせする状態を示す部分拡大断面図であり、（ｂ）は被梱包物の重量で緩衝材の突起部がつぶれて変形したときに位置合わせ部の切り口が塞がれる状態を示す部分拡大断面図である。
【図７】緩衝材及び梱包覆いの上方に被梱包物を運搬して容器の内部に被梱包物を入れる状態を示す側面図である。
【図８】緩衝材の四隅部に被梱包物の下部角部が外側面から抱え込まれて位置ずれなく入れられた状態を示す側面図である。
【図９】容器の内面と被梱包物との隙間に配置される緩衝材に対して梱包覆いを位置決めして載せ、前記容器内に被梱包物、緩衝材及び梱包覆いを梱包した状態を示す側面図である。
【発明を実施するための形態】
【００１０】
〔実施の形態の概要〕
図１は本発明による緩衝梱包材及び梱包体の実施の形態の概要を示す説明図であり、（ａ）は容器の内面と被梱包物との隙間に配置された緩衝材を示す側面図であり、（ｂ）及び（ｃ）は緩衝材に設けられた突起部と梱包覆いに設けられた位置合わせ部の切り口との関係を示す平面図であり、（ｄ）は容器内に被梱包物、緩衝材及び梱包覆いを梱包した状態を示す側面図である。
この実施形態による梱包体は、画像形成装置などの比較的重量の重い被梱包物を梱包するもので、被梱包物１と、少なくとも前記被梱包物１の底面部に配置される緩衝材３と、前記緩衝材３と前記被梱包物１との間に介在される梱包覆い４と、前記緩衝材３に設けられ、前記緩衝材３の被梱包物１と接触する面に突出され、前記緩衝材３と被梱包物１との間にかかる圧力でつぶれて変形した突起部５と、前記梱包覆い４に設けられ、前記緩衝材３の突起部５と係わり合って緩衝材３と梱包覆い４とを位置決め可能な切り口７を有し、前記緩衝材３と被梱包物１との間にかかる圧力でつぶれて変形した前記突起部５によって前記切り口７が塞がれ、前記突起部５に位置合わせされた位置合わせ部６と、前記被梱包物、緩衝材及び梱包覆いを梱包する容器２とを備えたものである。
【００１１】
このような実施形態において、前記容器２は、少なくとも被梱包物１の底面部を入れるもので、段ボール等から成る。なお、この容器２は、最低限被梱包物１の底面部を入れるものであるが、被梱包物１の全体を入れるものであってもよいし、被梱包物１の底面部及び上面部を入れるものであってもよい。
【００１２】
前記緩衝材３は、容器２の内部に入れられた被梱包物１への衝撃を吸収するもので、図１（ａ）に示すように、少なくとも被梱包物１の底面部を入れる容器２の内面と前記被梱包物１との隙間に配置されるようになっている。なお、容器２の形状によっては、緩衝材３は、容器２内にて被梱包物１の底面部及び上面部に形成される隙間に配置され、或いは側面部に形成される隙間に配置されることもある。
【００１３】
また、梱包覆い４は、容器２内に梱包された被梱包物１に周囲の粉塵等が侵入しないように防塵するもので、図１（ａ）に示すように、前記緩衝材３と前記被梱包物１の底面部との間に介在される。この梱包覆い４は、被梱包物１の底面部において緩衝材３との間に介在されるものに限られず、被梱包物１の底面部及び上面部において緩衝材３との間に介在され、或いは被梱包物１の全体を包み込むものであってもよい。
【００１４】
そして、前記緩衝材３の被梱包物１と接触する面の予め定めた位置には、突起部５が設けられている。この突起部５は、前記緩衝材３に前記梱包覆い４を位置決めするためのもので、前記緩衝材３と被梱包物１との間にかかる圧力で変形可能に形成されている。なお、この突起部５は、被梱包物１と接触する面の予め定めた位置に一つ又は複数個設けられる。
【００１５】
また、前記梱包覆い４の予め定めた位置には、位置合わせ部６が設けられている。この位置合わせ部６は、前記緩衝材３に梱包覆い４を載せる操作者が、前記緩衝材３に梱包覆い４を載せる際に位置決めするために前記突起部５との間で位置を合わせたり、前記緩衝材３に梱包覆い４を載せた際に、前記突起部５と位置合わせ部６との位置が多少ずれていた場合であっても、梱包覆い４の自重や前記緩衝材３及び梱包覆い４の上に載せられた被梱包物１の重さで位置合わせ部６に突起部５が入り込み、梱包覆い４が移動することで位置が合わせられるもので、前記緩衝材３の突起部５と係わり合って梱包覆い４を位置決め可能な切り口７を有し、前記緩衝材３と被梱包物１との間にかかる圧力で前記突起部５がつぶれて変形したときに、前記切り口７が塞がれるように形成されている。なお、この位置合わせ部６は、梱包覆い４の予め定めた位置に一つ又は複数個設けられる。また、位置合わせ部６の切り口７の形状は、一文字形（図１（ｂ）参照）、十文字形、円又は四角などの穴（図１（ｃ）参照）等がある。
【００１６】
これにより、作業者が容器２の内面に配置された緩衝材３に梱包覆い４を載せる際に、図１（ｂ），（ｃ）に示すように、緩衝材３の突起部５に梱包覆い４の位置合わせ部６を位置合わせして、緩衝材３に対して梱包覆い４を位置決めして載せる。そして、図１（ａ）に示すように、緩衝材３に載せられた梱包覆い４を介して前記容器２内に被梱包物１を入れると、図１（ｄ）に示すように、該被梱包物１の重量で緩衝材３の突起部５がつぶれて変形し緩衝材３の面が沈み込み、図１（ｂ）、（ｃ）に示す梱包覆い４の位置合わせ部６の切り口７を塞いだ状態となる。
【００１７】
次に、前記緩衝材３に設けられた突起部５及び前記梱包覆い４に設けられた位置合わせ部６の他の実施形態について説明する。
まず、突起部５は、複数個設けられる。これは、複数個の突起部５を目印として位置合わせ部６を位置合わせし、緩衝材３に対して梱包覆い４を位置決めして載せるためである。
また、位置合わせ部６は、前記複数個の突起部５に対応する位置に設けられる。これは、複数個の突起部５に対応する位置の位置合わせ部６をそれぞれの突起部５に位置合わせし、緩衝材３に対して梱包覆い４を位置決めして載せるためである。
【００１８】
なお、図１においては、少なくとも被梱包物１の底面部を入れる容器２を備えたものについて説明したが、本発明はこれに限られず、被梱包物１の形状、大きさ等によっては前記容器２は省略してもよい。この場合は、緩衝材３が少なくとも被梱包物１の底面部に配置され、梱包覆い４が前記緩衝材３と被梱包物１との間に介在された状態で、前記被梱包物１が梱包される。
【００１９】
以下、添付図面に基づいて本発明の実施の形態を詳細に説明する。
〔実施形態の説明〕
図２は本実施形態による緩衝梱包材における緩衝材３の実施形態を示す斜視図である。この緩衝材３は、図１において被梱包物１を梱包するための容器２の内部に入れられた被梱包物１への衝撃を吸収するもので、少なくとも被梱包物１の底面部を入れる容器２の内面と前記被梱包物１との隙間に配置されるようになっている。この場合、段ボール等から成る容器２は、最低限被梱包物１の底面部を入れるものであるが、被梱包物１の全体を入れるものであってもよいし、被梱包物１の底面部及び上面部を入れるものであってもよい。したがって、容器２の形状によっては、緩衝材３は、容器２内にて被梱包物１の底面部及び上面部に形成される隙間に配置され、或いは側面部に形成される隙間に配置されることもある。
【００２０】
前記緩衝材３は、例えばポリスチレン樹脂を原料とした発泡スチロール等の発泡樹脂から成り、その具体的な形状は図２に示すように形成されている。図２は、被梱包物１の底面部を入れる容器２の底側に配置される緩衝材３を示しており、この緩衝材３は、予め定められた横幅（約５０cm程度）×奥行き（約６０cm程度）×高さの容器２内に上方から挿入できるように、平面形状が矩形状の枠体に形成されている。すなわち、四隅部に被梱包物１の底面の隅部を載せる板状の支持面部１０ａ，１０ｂ，１０ｃ，１０ｄを有し、これらの支持面部１０ａ，１０ｂ，１０ｃ，１０ｄの間を連結部材１１で互いに連結し、各支持面部１０ａ〜１０ｄの外側隅部には被梱包物１の下部角部を外側面から抱え込むコーナー支持部１２ａ，１２ｂ，１２ｃ，１２ｄが立ち上がっている。なお、図２においては、前記緩衝材３の中央部分は、軽量化及びコスト低下のため打ち抜かれているが、これに限られず、全面にわたって部材がつながっていてもよい。
【００２１】
そして、前記支持面部１０ａ，１０ｂ，１０ｃ，１０ｄの前記被梱包物１と接触する面の予め定めた位置には、突起部５ａ，５ｂ，５ｃ，５ｄがそれぞれ設けられている。この突起部５ａ〜５ｄは、後述の梱包覆い４を緩衝材３に載せる際に位置決めするための部材となるもので、前記緩衝材３と被梱包物１との間にかかる圧力で変形可能に形成され、例えば高さが約５mm程度の円柱状に形成されている。なお、突起部５ａ〜５ｄの形状は、円柱状に限られず、三角柱状、四角柱状又は六角柱状等であってもよい。また、突起部５ａ〜５ｄの個数は、合計４個に限られず、いずれかの支持面部１０ａ〜１０ｄに１個だけでもよいが、梱包覆い４の位置決めを確実にするためには、２個以上であることが望ましい。
【００２２】
図３は本実施形態による緩衝梱包材における梱包覆い４の実施形態を示す平面図である。この梱包覆い４は、図１において容器２内に入れられた被梱包物１に周囲の粉塵等が侵入しないように防塵するもので、前記緩衝材３と前記被梱包物１の底面部との間に介在されるようになっている。この梱包覆い４は、被梱包物１の底面部において緩衝材３との間に介在されるものに限られず、被梱包物１の底面部及び上面部において緩衝材３との間に介在され、或いは被梱包物１の全体を包み込むものであってもよい。そして、この梱包覆い４は、例えばポリプロピレン、ポリエチエン等を原料とした樹脂製シートから成る。その具体的な形状は、図３に示すように、図２に示す矩形状の枠体から成る緩衝材３の平面形状よりも大きい面積を有する例えば長方形に形成されている。なお、梱包覆い４の平面形状は、長方形に限られず、正方形又は円形等であってもよい。
【００２３】
そして、前記梱包覆い４の予め定めた位置には、位置合わせ部６ａ，６ｂ，６ｃ，６ｄが設けられている。この位置合わせ部６ａ〜６ｄは、前記緩衝材３に梱包覆い４を位置決めするために前記突起部５ａ〜５ｄに位置合わせするもので、前記突起部５ａ〜５ｄと係わり合って緩衝材３と梱包覆い４とを位置決め可能な切り口７を有し、前記緩衝材３と被梱包物１との間にかかる圧力で前記突起部５ａ〜５ｄがつぶれて変形したときに、前記切り口７が塞がれるように形成されている。なお、１個１個の位置合わせ部６の切り口７の形状は、図４（ａ）に示す一文字形、同図（ｂ）に示す十文字形、同図（ｃ）に示す穴等のいずれであってもよい。図４（ｃ）に示す穴は、三角形、四角形又は円形等であってもよい。また、位置合わせ部６ａ〜６ｄの個数は、合計４個に限られず、いずれかの突起部５ａ〜５ｄに対応する位置に１個だけでもよいが、梱包覆い４の位置決めを確実にするためには、２個以上であることが望ましい。
【００２４】
次に、本実施形態による緩衝梱包材の使用について、図５から図９を参照して説明する。作業者は、図２において、例えば被梱包物１の底面部を入れる容器２内に緩衝材３を上方から挿入して、前記容器２の底側に緩衝材３を配置する。次に、このように容器２内に配置された緩衝材３の上方に図３に示す梱包覆い４を持って来て、図５に示すように、緩衝材３に設けられた突起部５ａ，５ｂ，５ｃ，５ｄに、梱包覆い４に設けられた位置合わせ部６ａ，６ｂ，６ｃ，６ｄをそれぞれ位置合わせし、緩衝材３に対して梱包覆い４を位置決めして載せる。なお、前述のように、緩衝材３の突起部５ａ〜５ｄ及び梱包覆い４の位置合わせ部６ａ〜６ｄの個数は、１個又は複数個であってもよい。
【００２５】
このとき、図１（ｃ）に示すように、緩衝材３の突起部５に梱包覆い４の位置合わせ部６の切り口７を拡げて嵌め、該突起部５に位置合わせ部６を位置合わせする。或いは、図１（ｂ）に示すように、緩衝材３の突起部５に梱包覆い４の位置合わせ部６の切り口７を当てて、該突起部５に位置合わせ部６を位置合わせするだけでもよい。この図１（ｂ）の場合は、緩衝材３の突起部５を目印として梱包覆い４の位置合わせ部６を当てることで、緩衝材３に対して梱包覆い４を簡易に位置決めすることができる。このときは、作業者が変わっても、作業者によって大きな位置ずれが発生するのを防止できる。
【００２６】
一方、図１（ｃ）の場合は、図６（ａ）に示すように、梱包覆い４の位置合わせ部６の切り口７を拡げて緩衝材３の突起部５に嵌めることで、緩衝材３に対して梱包覆い４を確実に位置決めすることができる。このときは、作業者が変わっても、作業者によって位置ずれが発生するのを防止できる。また、緩衝材３に対して梱包覆い４を位置決めして載せた後に、風等の影響によりその梱包覆い４が位置ずれすることがないので、梱包覆い４の位置決め作業をやり直す必要がなく、作業工数の増加を防止できる。
【００２７】
次に、図５に示すように、緩衝材３の中心に対して梱包覆い４を位置決めして載せた状態で、図７に示すように、前記緩衝材３及び梱包覆い４の上方に被梱包物１を運搬し、図５に示す四隅部のコーナー支持部１２ａ，１２ｂ，１２ｃ，１２ｄの間に被梱包物１の底面部を抱え込むようにして、容器２の内部に被梱包物１を入れる。すると、図８に示すように、前記緩衝材３の四隅部のコーナー支持部１２ａ，１２ｂ，１２ｃ，１２ｄに被梱包物１の下部角部が外側面から抱え込まれて、位置ずれなく収容される。このとき、前記梱包覆い４は、被梱包物１の底面部において、周囲に略等しい長さの防塵用の残り幅が生じ、この梱包覆い４の残り幅によって被梱包物１の底面部を覆い、その防塵の役割を発揮する。
【００２８】
図８に示すように、前記梱包覆い４が位置決めされた緩衝材３に被梱包物１を載せて容器２内に入れると、図６（ｂ）に示すように、該被梱包物１の重量で緩衝材３の突起部５がつぶれて変形し緩衝材３の面が沈み込み、位置合わせ部６の切り口７が塞がれる。なお、図６（ｂ）では、拡大図示の状態にて緩衝材３と梱包覆い４との間、梱包覆い４と被梱包物１との間にそれぞれ隙間が有るように図示されているが、実際には緩衝材３と梱包覆い４との間、梱包覆い４と被梱包物１との間はそれぞれ密接した状態である。
これにより、図９に示すように、作業者が容器２の内面と被梱包物１との隙間に配置される緩衝材３に梱包覆い４を載せる際に、該梱包覆い４を緩衝材３に対して位置決めして載せることができ、被梱包物１の梱包における防塵の品質を安定させることができる。
【００２９】
なお、以上の説明では、緩衝材３は、容器２と被梱包物１の底面部との間に形成される隙間に配置されるものとしたが、本発明はこれに限られず、例えば容器２が被梱包物１の側面も入れるものである場合は、該容器２の対向する内側面と被梱包物１の側面部との間に形成される隙間に配置してもよい。このときは、容器２の対向する内側面に配置された緩衝材３の突起部５に梱包覆い４の位置合わせ部６の切り口７を嵌めて位置合わせし、容器２の対向する内側面に配置された梱包覆い４の間に被梱包物１を挿入した結果、前記容器２の内側面と被梱包物１の側面部との隙間に前記緩衝材３が配置されることになる。そして、被梱包物１と容器２の内側面との間にかかる圧力で前記梱包覆い４と緩衝材３とを密接させて、図１（ｂ）、（ｃ）に示す梱包覆い４の位置合わせ部６の切り口７を塞ぐようになる。
【００３０】
また、以上の説明では、少なくとも被梱包物１の底面部を入れる容器２を備えたものについて説明したが、本実施形態はこれに限られず、被梱包物１の形状、大きさ等によっては前記容器２は省略してもよい。この場合は、緩衝材３が少なくとも被梱包物１の底面部に配置され、梱包覆い４が前記緩衝材３と被梱包物１との間に介在された状態で、前記被梱包物１が梱包される。
【符号の説明】
【００３１】
１…被梱包物、２…容器、３…緩衝材、４…梱包覆い、５，５ａ，５ｂ，５ｃ，５ｄ…突起部、６，６ａ，６ｂ，６ｃ，６ｄ…位置合わせ部、７…切り口
【図１】
2011063270.tif 000003
【図２】
2011063270.tif 000004
【図３】
2011063270.tif 000005
【図４】
2011063270.tif 000006
【図５】
2011063270.tif 000007
【図６】
2011063270.tif 000008
【図７】
2011063270.tif 000009
【図８】
2011063270.tif 000010
【図９】
2011063270.tif 000011